(57)【要約】【課題】  メガネのフロント部両側に備えたヨロイに折畳み出来るように取付けたツルであって、一方では装飾性豊かなツルを提供し、他方では弾性機能を備えることでメガネが安定して掛けることが出来るメガネフレームのツルの提供。【解決手段】  ツル５はラセン状に湾曲して成形された複数本の細いツル線８ａ，８ｂ，８ｃを組合せて１本にまとめて先端部には樹脂製のモダン７を挿着し、そしてツル線８ａ，８ｂ，８ｃの基端に形成したリング９ａ，９ｂ，９ｃを重ね合わせて軸受け１０とし、ヨロイ３の継手部１３に設けた軸ピン１６を軸受け１０の穴に嵌めて連結している。【選択図】    図２
0003120606.tif 000002
【実用新案登録請求の範囲】
【請求項１】
メガネのフロント部両側に備えたヨロイに折畳み出来るように取付けたツルにおいて、該ツルはラセン状に湾曲して成形された複数本の細いツル線を組合せて１本にまとめ、先端部には樹脂製のモダンを挿着したことを特徴とするメガネフレームのツル。
【請求項２】
メガネのフロント部両側に備えたヨロイに折畳み出来るように取付けたツルにおいて、該ツルはラセン状に湾曲して成形された複数本の細いツル線を組合せて１本にまとめて先端部には樹脂製のモダンを挿着し、そしてツル線の基端に形成したリングを重ね合わせて軸受けとし、ヨロイの継手部に設けた軸ピンを軸受けの穴に嵌めて連結したことを特徴とするメガネフレームのツル。
【請求項３】
上記複数本のツル線にはそれぞれ異なるカラーを着色した請求項１、又は請求項２記載のメガネフレームのツル。
【考案の詳細な説明】
【技術分野】
【０００１】
本考案は弾性機能を備えると共に装飾性を向上させたメガネフレームのツルに関するものである。
【背景技術】
【０００２】
メガネは視力が低下した人がこれを矯正の為に着用するものであるが、掛ける場所が顔であることから、色々な装飾が施されている。近年の金属製メガネフレームはチタン材など非常に軽くてバネ製に優れた材質が好まれ、長時間にわたってメガネを掛けていても疲れが少ないように工夫されている。しかし、このような材質が好まれる背景には、メガネフレームとしての単なる機能性だけでなくスリムなメガネフレームとして構成出来るといった外観的な満足度が得られる点も大きい。
【０００３】
このようにメガネフレーム自体がファッション性を備えて構成されることは勿論であるが、さらにカラーメッキしたり、印刷を施したり、片隅に宝石等の装飾部品を取付ける等の工夫が凝らされている。ところで、従来の装飾部品はメガネフレームのツルやフロント部に取着されるが、カシメにて固定したり、ロウ付けしたり、又はネジ締め等の手段が採用されている。
【０００４】
しかし、ネジ止めやカシメにて装飾部品を取付ける場合、該装飾部品はメガネフレームとは独立したものとなり、該メガネフレームに組み込まれて一体化した外観とはならない。特開２００１−２４２４２６号に係る「メガネのツルに取付ける装飾部品」もその１つであるが、装飾部品の裏側に止着具を設け、該止着具はバネ材から成って概略Ｌ型を成し、先端にはツルの縁に係止する係止部を形成している。
【０００５】
従って、該装飾部品はメガネのツルにワンタッチ方式で取付けることが出来、又簡単に取外し出来る。そして止着具先端には係止部が形成されている為に、一旦取付けした装飾部品はツルから独りでに外れることはない。このように簡単に取付け・取外しが出来る為に、外出時に身に付けるイヤリングや指輪と同じように、何時でも交換して使用出来る。
【０００６】
この装飾部品には裏側に止着具を有し、ツルに係止して取付けた際には該止着具は表面化する為に装飾部品がメガネフレームのツルと調和することなく、あくまでも別部品として取付けられていることが分かる。すなわち、取付け手段が表面化しない構造であることが好ましい。
【０００７】
一方、メガネが位置ズレすることなく安定して掛けるためには色々な工夫がなされているが、その１つにツルの弾性が挙げられる。ツルは頭部の側面から耳に掛けて適度な押圧力をもって接することが出来、その為にメガネの位置ズレが防止される。しかし、該押圧力が大きすぎると痛みを覚えると共に長時間にわたってメガネを掛けることが出来なくなる。従来においての超弾性材質を用いたツルやバネ性に優れた細いチタン製ツルなどは知られている。
【特許文献１】特開２００１−２４２４２６号に係る「メガネのツルに取付ける装飾部品」
【考案の開示】
【考案が解決しようとする課題】
【０００８】
このように、従来のメガネフレームのツルには上記のごとき問題がある。本考案が解決しようとする課題はこの問題点であり、一方では装飾性豊かなツルを提供し、他方では弾性機能を備えることでメガネを安定して掛けることが出来るメガネフレームのツルを提供する。
【課題を解決するための手段】
【０００９】
本考案のメガネフレームのツルは、フロント部の両側に継手を介して折畳み出来るように取付けられるが、メガネフレームの形態は限定しない。レンズを嵌めるリムを備えているメガネフレーム、リムに代わってハーフリムと水糸とでレンズを保持する形態としているメガネフレーム、又はリムを持たないでレンズを直接連結部材にて連結し、レンズ外側にはヨロイを取付けた縁なしメガネとして構成した場合など、何れの形態であってもよい。
【００１０】
ところで、フロント部の両側に取付けられるツルは複数本の細いツル線を組み合わせて構成し、各ツル線はラセン状に捩じられている。すなわち、複数本のラセン状ツル線が１本のツルとして組み合わされ、先端部には樹脂製のモダンが挿着している。ツルはモダンの基部に明けた穴に嵌合した状態で抜けないように固定されている。ここで、複数本のツル線は互いに滑り合う状態とし、ツルが湾曲変形する際には各ツル線間にはズレが生じる。
【考案の効果】
【００１１】
本考案のツルはラセン状に成形された細い複数本のツル線を互いに組合せた構造としている。しかし、これら複数本のツル線は固定されておらず、互いにズレ合うように組合されている為に、太い割りにはバネ性に優れ、そしてしなやかに撓み変形することが出来る。従って、メガネを掛けた場合、肌当りが良くて痛みを感じることはない。
【００１２】
一方、複数本の細いツル線はそれぞれ別々なカラーで着色することが出来、その為にカラフルなツルとして構成され、ツルの装飾効果が大きい。しかも、別部品を取付けた装飾でない為に、斬新なメガネフレームとなる。又、メガネを小売店で購入する時に、各ツル線の色彩を自由に選択することが出来、自分の好みに応じた色彩の組合せで構成したツルをその場で作ってフロント部に取付けることが可能と成る。
【実施例】
【００１３】
図１は本考案に係るツルを備えた縁なしメガネを表している実施例である。この縁なしメガネの基本的な形態は従来と同じであり、両レンズ１，１は連結部材２によって連結され、レンズ１，１の外側にはヨロイ３，３が取付けられている。そして、このヨロイ３，３には継手４，４を介してツル５，５が折畳み出来るように取付けされ、さらにレンズ１，１の内側には上記連結部材２から延びて先端に鼻当てパットが取付けられる脚６，６が形成されている。
【００１４】
図２は本考案のツル５、５を表している。ツル５はメガネのフロント部両側に取付けたヨロイ３，３に継手４，４を介して折畳み出来るように取付けられ、そしてツル５の先端部には耳に掛ける樹脂製のモダン７が挿着されている。このモダン７は一般的な形状とされる概略Ｌ形となっているが、本考案ではモダンの形状は自由であり他の形態をしたモダンを挿着することもある。
【００１５】
ところで、ツル５は図３に示すように３本の細い金属製のツル線８ａ，８ｂ，８ｃから成り、これらツル線８ａ，８ｂ，８ｃはストレートでなくラセン状に湾曲して延びている。そして、これら３本のツル線８ａ，８ｂ，８ｃは互いに組み合わされて１本のツル５を構成している。又、ツル線８ａ，８ｂ，８ｃの基端にはリング９ａ，９ｂ，９ｃが曲げ成形されていて、このリング９ａ，９ｂ，９ｃは３本のツル線８ａ，８ｂ，８ｃが組合わされて１本のツル５と成った場合に重なり合って軸受け１０と成る。すなわち、３個のリング９ａ，９ｂ，９ｃが重なり合うことで軸ピンが嵌る軸受け１０が構成される。
【００１６】
図３(ａ)は互いに分離した状態の３本のツル線８ａ，８ｂ，８ｃを表している斜視図であり、(ｂ)は３本のツル線８ａ，８ｂ，８ｃの平面図と正面図、(ｃ)は３本のツル線８ａ，８ｂ，８ｃが互いに組み合わされて１本のツル５と成った平面図と正面図を表している。
【００１７】
これら３本のツル線８ａ，８ｂ，８ｃの成形方法に関しては限定しないが、製造されたツル線８ａ，８ｂ，８ｃには色々なカラーが着色される。着色手段はメッキ、塗装などが採用され、所定のカラーに着色されたツル線８ａ，８ｂ，８ｃが組合されて１本のツル５になることで、該ツル５は複数のカラーがラセンを形成した装飾として具現される。
【００１８】
ところで、メガネを購入する場合、小売店において好みのカラーのツル線８ａ，８ｂ，８ｃを選択し，これを組合わせて１本のツル５を作り上げ、そして図２に示しているように、樹脂製のモダン７に設けた穴に嵌め、抜けないように接着剤を塗布して挿着される。必要に応じてモダン７とツル５との境界における段差をカバーして外観を良好ならしめるためにキャップを嵌着することもある。
【００１９】
このように、３本のツル線８ａ，８ｂ，８ｃを組み合わせてツル５を作り上げ、その先端をモダン７に設けた穴に挿着し、出来上がったツル５をフロント部のヨロイ３に連結される。該ヨロイ３との連結も小売店で行うことが出来る継手構造となっている。
【００２０】
モダン３は１本の細い線材を曲げ成形して製作され、その一方端には嵌入部１２を有し、他方側には継手部１３を形成している。嵌入部１２は筒状のコイルバネとして形成され、この嵌入部１２はレンズ貫通穴に嵌り、嵌入部１２の穴にはピンを圧入してレンズ貫通穴に固定される。そして、継手部１３には上線１４と下線１５が所定の間隔をおいて配置され、この継手部１３に軸ピン１６が取付けられ、該軸ピン１６にツル５が折畳み出来るように連結している。
【００２１】
図４は図２のＡ−Ａ断面拡大図を示しているが、３本のリム線８ａ，８ｂ，８ｃが組合されて出来上がったツル５のリング９ａ，９ｂ，９ｃには軸ピン１６が挿通し、この軸ピン１６は継手部１３の上線１４と下線１５とで挟まれる。軸ピン１６の上下端には溝１７，１７が設けられ、この溝１７，１７に上線１４と下線１５が嵌合して取付けられる。
【００２２】
そして、リング９ａ，９ｂ，９ｃは軸ピン１６を中心として回転し、ツル５は開閉することが出来る。ここで、所定の間隔をおいた上下線１４，１５はその距離を拡大した状態で軸ピン１６を嵌めて取付けることが出来る。すなわち、小売店での軽作業でもってツル５の組立て、及びフロント部への取付けが可能な構造と成っている。
【図面の簡単な説明】
【００２３】
【図１】本考案のツルを取付けた縁なしメガネの具体例。
【図２】モダンを挿着したツルがフロント部のヨロイに連結した状態で、平面図と正面図を示している。
【図３】本考案のツルを表す実施例。
【図４】ヨロイに連結するツルの連結構造を示す具体例。
【符号の説明】
【００２４】
１  レンズ
２  連結部材
３  ヨロイ
４  継手
５  ツル
６  脚
７  モダン
８  ツル線
９  リング
10  軸受け
12  嵌入部
13  継手部
14  上線
15  下線
16  軸ピン
17  溝
【図１】
0003120606.tif 000003
【図２】
0003120606.tif 000004
【図３】
0003120606.tif 000005
【図４】
0003120606.tif 000006